(57)【要約】      （修正有）【課題】密閉容器を大型化することなく簡単な構成で開閉サージを抑制することができるようにしたガス絶縁開閉装置を提供する。【解決手段】開閉器の開閉によって開閉サージが発生し、高電圧回路導体９および切り離し用断路器５を通して計器用変圧器６に伝播することになるが、このとき、開閉サージは切り離し用断路器５の可動接触子１４内に設けた急峻波サージ抑制体を経由して計器用変圧器６に伝播する。急峻波サージ抑制体は周波数特性を示しこの急峻波サージに対して抵抗成分となり、計器用変圧器６に印加されるサージ電圧を分担されることになり、巻線に伝播するサージ電圧は低減される。【選択図】図１
2010246206.tif 000002
【特許請求の範囲】
【請求項１】
絶縁性ガスを封入した密閉容器内に、開閉器およびこの開閉器に電気的に接続されて開閉サージの伝播路となる高電圧回路導体を有して構成したガス絶縁開閉装置において、開閉サージが伝播する前記高電圧回路導体中に、周波数特性を有し開閉サージに対して抵抗成分となる急峻波サージ抑制体を電気的に直列に接続したことを特徴とするガス絶縁開閉装置。
【請求項２】
絶縁性ガスを封入した密閉容器内に、開閉器と、この開閉器に電気的に接続されて開閉サージの伝播する高電圧回路導体と、この高電圧回路導体に電気的に接続した計器用変圧器とを備えて構成したガス絶縁開閉装置において、前記高電圧回路導体と前記計器用変圧器間に、周波数特性を有し開閉サージに対して抵抗成分となる急峻波サージ抑制体を電気的に直列に接続したことを特徴とするガス絶縁開閉装置。
【発明の詳細な説明】
【技術分野】
【０００１】
本発明は、急峻波サージを抑制したガス絶縁開閉装置に関する。
【背景技術】
【０００２】
ガス絶縁開閉装置は、絶縁性ガスを封入した密閉容器内に高電圧回路導体を密閉容器から電気的に絶縁した状態で支持して、遮断器、断路器などの開閉器や、これらの各機器間を接続する接続用母線等の他に、計器用変圧器や計器用変流器等を接続して構成されている。このようなガス絶縁開閉装置においては、遮断器等の開閉器を操作して高電圧回路を開閉したとき、開閉サージと呼ばれる周波数が高い急峻波サージ電圧が発生して回路内を伝播することが知られている。この急峻なサージは高電圧回路導体を経由して特に計器用変圧器などの二次巻線に移行サージとして伝播し、その二次側に接続されている機器に悪影響を与えることが知られている。一般的に、二次側の機器の絶縁耐力は開閉装置の高電圧回路導体における絶縁耐力と比較して低いため、サージ電圧によって絶縁破壊による破損や誤動作が生じることがある。
【０００３】
通常、この急峻波サージによる影響を抑制する方法として、断路器や遮断器などの開閉器に抵抗接点を設け、高電圧回路の開閉時に抵抗体を挿入することによって発生するサージ電圧を抑制する方法が知られている（例えば、特許文献１を参照）が、構造が複雑で大型化するため、結果として高価になってしまう。他の方法として、計器用変圧器や計器用変流器の二次側巻線に、例えば酸化亜鉛素子などで構成された過電圧抑制装置を設けることが行われているが、過電圧抑制装置そのものにより大型化また高価になることに加え、過電圧抑制装置を監視するための装置を設けたり、過電圧抑制装置を定期的に交換するなどの対応が必要となり、機器の管理保守に多くの労力が必要となってしまう。さらに、ガス絶縁開閉装置の高電圧回路導体の外周部に近接してフェライト材料から成る磁性体を設け、高電圧回路導体の電波インピーダンスを変化させ、通過する急峻波サージを制限するようにしたものが知られている（例えば、特許文献２を参照）。
【先行技術文献】
【特許文献】
【０００４】
【特許文献１】特開平４−３３２４１６号公報
【特許文献２】特開２００１−２５１７１３号公報
【発明の概要】
【発明が解決しようとする課題】
【０００５】
しかしながら、上述したガス絶縁開閉装置においては、金属製の密閉容器内に高電圧回路導体を密閉容器から電気的に絶縁した状態で支持して構成する必要があり、高電圧回路導体との間の絶縁距離を考慮して密閉容器の径を決定することになるが、新たに急峻波サージを抑制する手段を高電圧回路導体の外周部に設けると密閉容器を大型化してしまい、結果としてガス絶縁開閉装置を大型化してしまう。
【０００６】
本発明の目的は、密閉容器を大型化することなく簡単な構成で急峻波サージを抑制することができるようにしたガス絶縁開閉装置を提供することにある。
【課題を解決するための手段】
【０００７】
本発明は上記目的を達成するために、  絶縁性ガスを封入した密閉容器内に、開閉器およびこの開閉器に電気的に接続されて開閉サージの伝播路となる高電圧回路導体を有して構成したガス絶縁開閉装置において、開閉サージが伝播する前記高電圧回路導体中に、周波数特性を有し開閉サージに対して抵抗成分となる急峻波サージ抑制体を電気的に直列に接続したことを特徴とする。
【０００８】
また請求項２に記載の本発明は上記目的を達成するために、絶縁性ガスを封入した密閉容器内に、開閉器と、この開閉器に電気的に接続されて開閉サージが伝播する高電圧回路導体と、この高電圧回路導体に電気的に接続した計器用変圧器とを備えて構成したガス絶縁開閉装置において、前記高電圧回路導体と前記計器用変圧器間に、周波数特性を有し開閉サージに対して抵抗成分となる急峻波サージ抑制体を電気的に直列に接続したことを特徴とする。
【発明の効果】
【０００９】
本発明によるガス絶縁開閉装置によれば、急峻波サージ抑制体を高電圧回路導体中に電気的に直列に設けているため、従来のように外周部に配置した場合に比べて外径寸法を抑えることができ、また、これまでのガス絶縁開閉装置の高電圧回路導体のみの場合と見掛け上、全く同一に構成することができる。従って、密閉容器との間の絶縁にも影響を与えずに密閉容器を構成することができる。しかも、密閉容器の内部には周波数成分に対する抵抗体または磁性体などの急峻波サージ抑制体を配置するだけであるため、機器構造を簡略化することができる。
【００１０】
また請求項２に記載の本発明によるガス絶縁開閉装置によれば、開閉器の開閉によって開閉サージが発生した場合、高電圧回路導体を通して計器用変圧器に伝播することになるが、このとき、急峻波サージ抑制体を経由して伝播するため急峻波サージ抑制体により周波数特性を示し、この急峻波サージに対して抵抗成分となり、計器用変圧器に印加されるサージ電圧が分担されるため、計器用変圧器へ印加されるサージ電圧が低減される。この場合、開閉器側の仕様を変更しなくても計器用変圧器内部で有害な移行サージが抑制されるので、信頼性が高く安価なガス絶縁開閉装置を得ることができる。
【図面の簡単な説明】
【００１１】
【図１】図１は本発明の一実施の形態によるガス絶縁開閉装置の要部を示す部分断面図である。
【図２】図２は図１に示したガス絶縁開閉装置の要部拡大断面図である。
【図３】図３は本発明のさらに他の実施の形態によるガス絶縁開閉装置の要部を示す部分断面図である。
【図４】図４は本発明のさらに他の実施の形態によるガス絶縁開閉装置の要部を示す部分断面図である。
【図５】図５は本発明によるガス絶縁開閉装置を適用する回路図である。
【図６】図６は本発明のさらに他の実施の形態によるガス絶縁開閉装置の要部を示す部分断面図である。
【発明を実施するための形態】
【実施例１】
【００１２】
以下、本発明の実施の形態を図面に基づいて説明する。
図６は、本発明の一実施の形態によるガス絶縁開閉装置の要部を示す部分断面図である。絶縁性ガスを封入した金属製の密閉容器１０内には、高電圧回路導体９が絶縁支持物２３，２４によって密閉容器１０から電気的に絶縁された状態で支持されている。高電圧導体９は、ガス絶縁開閉装置の図示しない遮断器や断路器などの開閉器に接続され、これら開閉器の開閉に伴う開閉サージの伝播路を形成している。この高電圧回路導体９の途中には、所定距離を隔てた対向配置部が形成され、この対向配置部間には、高電圧回路導体９の外径よりもその外径を多少小さくした急峻波サージ抑制体１９が配置されている。この急峻波サージ抑制体１９は、対向配置した高電圧回路導体９間を電気的に接続している。この急峻波サージ抑制体１９の外周部は、絶縁物２０によって絶縁被覆している。
【００１３】
急峻波サージ抑制体１９は、周波数特性を有して急峻波サージに対して抵抗成分となるものであり、抵抗体または磁性体、例えばフェライトや鉄などで構成している。ガス絶縁開閉装置における開閉サージの周波数は、例えば数１０ＭＨｚと非常に高く、これに対して通常運転時の周波数は５０Ｈｚもしくは６０Ｈｚと開閉サージの周波数と比較して低い。また、交流電流に対する抵抗成分、すなわちインピーダンスは一般的に周波数と比透磁率に比例するため、開閉サージのような高周波成分に対して高インピーダンスとなり、通常の運転時の周波数に対しては低インピーダンスとなる特性を示す。
【００１４】
定常状態で急峻波サージ抑制体１９は、周波数特性を有して急峻波サージに対して抵抗成分となるものであるため、高電圧回路に対して殆ど影響を与えない。しかし、高電圧回路に接続されている開閉器の開閉によって開閉サージが発生すると、それは高電圧回路導体９および急峻波サージ抑制体１９を通して伝播し、急峻波サージ抑制体１９の周波数特性により急峻波サージに対して抵抗成分となりサージ電圧は抑制される。
【００１５】
このような構成のガス絶縁開閉装置によれば、急峻波サージ抑制体１９は高電圧回路導体９中に設けているため、従来のように外周部に配置した場合に比べて外径を抑えることができ、また、このような構成の急峻波サージ抑制体１９は、これまでのガス絶縁開閉装置の高電圧回路導体９のみの場合と見掛け上、全く同一構成である。従って、密閉容器１０との間の絶縁にも影響を与えないので密閉容器１０を比較的小型に構成することができる。しかも、抵抗接点を設けるなど開閉機器の仕様を変更することなく例えば計器用変圧器へのサージを抑制することが可能となり、信頼性が高く安価なガス絶縁開閉装置を提供することが可能となる。しかも、過電圧抑制装置を設けることなく周波数成分に対する抵抗体または磁性体などの急峻波サージ抑制体１９を配置するだけであるから、監視装置を設けたり定期的に交換するなどの対応は不要で、機器の管理保守に多くの労力が必要となることもない。
【００１６】
次に、本発明の他の実施の形態によるガス絶縁開閉装置を説明するが、ここでは図５に示した回路図に基づいて構成した場合を説明する。
図５では、遮断器１，４や断路器２，３が高電圧回路導体を介して接続され、他に高電圧回路導体に切り離し用断路器５を介して計器用変圧器６が接続され、また切り離し用断路器７を介して他のガス絶縁開閉装置に至る導出手段８が接続されている。遮断器１，４や断路器２，３などの開閉器の開閉によって開閉サージが発生すると、高電圧回路導体を通して伝播し、特に、前述したように計器用変圧器６に悪影響を及ぼしかねない。
【００１７】
そこで、図１に示したようにガス絶縁開閉装置を構成する。
ガス絶縁開閉装置を構成する断路器２と接続した高電圧回路導体９は、絶縁性ガスを封入した密閉容器１０内に図示しない絶縁物を介して支持されており、この高電圧回路導体９には切り離し用断路器５を介して計器用変圧器６が接続されている。密閉容器１０と計器用変圧器６間には絶縁スペーサ１１が配置されて、両者はガス的に区分されている。高電圧回路導体９における計器用変圧器６の対向部には接触子１２が設けられ、一方、計器用変圧器６に接続した絶縁スペーサ１１の中心導体１１ａには固定接触子１３が設けられ、接触子１２と固定接触子１３間を開離可能に橋絡した可動接触子１４を設けて切り離し用断路器５が構成されている。この切り離し用断路器５は、密閉容器１０の外部から電動操作器あるいは手動操作によってレバー１５および絶縁ロッド１６を介して可動接触子１４を駆動し、可動接触子１４を固定接触子１３から断路することによって計器用変圧器６をガス絶縁開閉装置から切り離すことができる。
【００１８】
図２は、可動接触子１４を拡大して示す断面図である。
可動接触子１４は、閉路状態において固定接触子１３と接触するようにアルミニウムや銅などで製作した先端側導体１７と、閉路状態において接触子１２と接触するようにアルミニウムや銅などで製作した基部側導体１８と、これら先端側導体１７と基部側導体１８間を電気的に接続する急峻波サージ抑制体１９と、先端側導体１７と基部側導体１８間を機械的に連結するように繊維強化プラスチックやエポキシ樹脂などで構成した絶縁物１９とから構成している。従って、切り離し用断路器５の閉路状態において、高電圧回路導体９と計器用変圧器６間は切り離し用断路器５によって電気的に接続されているが、より詳細には高電圧回路導体９と計器用変圧器６間は急峻波サージ抑制体１９を介して電気的に接続されている。
【００１９】
一般に、ガス絶縁開閉装置は、工場での出荷試験を実施後に解体して現地に搬入し、現地で再度組み立て、調整を経た後に絶縁試験を行い、据付および調整作業の健全性の確認を行っている。しかし、ガス絶縁開閉装置に接続された電気機器として、回路の保護および電力量を測定する計器用変圧器６が設置されている場合、計器用変圧器６とガス絶縁開閉装置では規格で定められた絶縁仕様が異なるため、ガス絶縁開閉装置の現地絶縁試験を行うときには計器用変圧器６を切り離し、この絶縁試験終了後に計器用変圧器６を再度接続する必要がある。ガス絶縁開閉装置では、密閉容器１０内に絶縁性ガスを封入し、この密閉容器１０から電気的に絶縁した状態で高電圧回路導体９を配置して構成しているため、一度密閉容器１０内に充填した絶縁性ガスを回収することなく計器用変圧器６をガス絶縁開閉装置から切り離したり接続したりできるように、ガス絶縁開閉装置と計器用変圧器６の間に切り離し用断路器５を設け、現地での絶縁試験時にこの切り離し用断路器５を開動作させて計器用変圧器６を切り離し、試験終了後に切り離し用断路器５を閉動作させて計器用変圧器６を接続するようにしている。
【００２０】
通常の運転状態において、切り離し用断路器５は閉路され、可動接触子１４の先端側導体１７は固定接触子１３と接触し、また可動接触子１４の基部側導体１８は接触子１２と接触している。上述した現地絶縁試験を実施する場合は、操作器などによってレバー１５を介して絶縁ロッド１６および可動接触子１４を下方に駆動し、可動接触子１４を固定接触子１３から断路することによって計器用変圧器６をガス絶縁開閉装置から切り離す。この状態で現地にて絶縁試験を実施し、終了後に絶縁ロッド１６および可動接触子１４を今度は上方に駆動し、可動接触子１４を固定接触子１３に接触させることによって計器用変圧器６をガス絶縁開閉装置に接続する。
【００２１】
上述した構成において、切り離し用断路器５の閉路状態では、接触子１２と固定接触子１３間、つまり高電圧回路導体９と計器用変圧器６間には、急峻波サージ抑制体１９が電気的に接続されている。ここで急峻波サージ抑制体１９は、フェライトなどの構成した周波数特性を有し開閉サージ等の急峻波サージに対して抵抗成分となる抵抗体である。このため、急峻波サージ抑制体１９の両端間には、計器用変圧器６の負荷電流に抵抗体の抵抗値を乗じた電圧が生じることとなるが、負荷電流は一般的に非常に小さい値であり、測定しようとする回路電圧と比べて非常に小さく測定誤差などに殆ど影響を及ぼさない。なお、急峻波サージ抑制体１９の抵抗体の両端間電圧を無視できない場合、この両端間電圧を考慮して計器用変圧器６の出力を予め調整しておくこともできる。
【００２２】
このような構成のガス絶縁開閉装置によれば、開閉器の開閉によって開閉サージが発生し、高電圧回路導体９および切り離し用断路器５を通して計器用変圧器６に伝播することになるが、このとき、開閉サージは切り離し用断路器５の可動接触子１４内に設けた急峻波サージ抑制体１９を経由して計器用変圧器６に伝播する。このため、急峻波サージ抑制体１９は周波数特性を示しこの急峻波サージに対して抵抗成分となり、計器用変圧器６に印加されるサージ電圧が分担されることになる。その結果、計器用変圧器６に印加されるサージ電圧は低減される。しかも、急峻波サージ抑制体１９は切り離し装置５の可動接触子１４内に設けているため、見掛け上は通常の切り離し用断路器５とほぼ同一構成であり、構成を複雑にすることなく印加されるサージ電圧を低減することができる。しかも、開閉器側の仕様を変更することなく、切り離し用断路器５および計器用変圧器６側で、計器用変圧器６に対して有害なサージを抑制することができるので、信頼性が高く安価なガス絶縁開閉装置を得ることができる。
【００２３】
特に、上述した開閉サージは図５の回路構成において計器用変圧器６に影響を及ぼすが、この実施の形態では図６で説明したように高電圧回路導体９の途中に急峻波サージ抑制体１９を配置するのではなく、図１および図２に示したように高電圧回路導体９と計器用変圧器６間に急峻波サージ抑制体１９を配置している。このため、切り離し用断路器５が閉路された定常状態で計器用変圧器６は高電圧回路導体９に接続されているが、電流は殆ど流れない電圧的な接続であるから、この計器用変圧器６の特性を生かして急峻波サージ抑制体１９の抵抗体での発熱などを抑えながら急峻波サージを抑制することができる。
【００２４】
しかも、急峻波サージ抑制体１９は、従来のように高電圧導体、例えば可動接触子１４の外周部に配置するのではなく可動接触子１４と一体的に構成しているため、一般的な切り離し用断路器５の構成を殆ど代えることなく急峻波サージ抑制体１９を配置することができる。従って、現地での電圧印加試験を行う場合、これまでと全く同様に単に切り離し用断路器５を開閉することができる。
【実施例２】
【００２５】
上述した実施の形態では、周波数特性を有して開閉サージに対して抵抗成分となる抵抗体を用いて急峻波サージ抑制体１９を構成したが、この抵抗体の代わりに磁性体、例えば鉄などで構成することによっても同様の効果を得ることが可能である。
【００２６】
つまり、ガス絶縁開閉装置における開閉サージの周波数は、例えば数１０ＭＨｚと非常に高く、これに対して通常運転時の周波数は５０Ｈｚもしくは６０Ｈｚと開閉サージの周波数と比較して低く、また、交流電流に対する抵抗成分、すなわちインピーダンスは一般的に周波数と比透磁率に比例するため、磁性体を用いた場合でも開閉サージのような高周波成分に対して高インピーダンスを示し、通常の運転時の周波数に対しては低インピーダンスを示す。その結果、通常の運転状態では切り離し用断路器５の磁性体で負担する電圧が低く、開閉サージに対しては切り離し用断路器５の磁性体で負担する電圧が高くなり、開閉サージに対しては上述した抵抗体を用いた場合と同等の効果をより簡素な構造で達成することが可能である。
【実施例３】
【００２７】
図３は、本発明の他の実施の形態によるガス絶縁開閉装置における計器用変圧器の接続部近傍を示す部分断面図である。
高電圧回路導体９を収納した密閉容器１０と計器用変圧器６間には絶縁スペーサ１１が配置され、この絶縁スペーサ１１の中心導体１１ａに切り離し用断路器５の固定接触子１３を支持するのが一般的であるが、ここでは中心導体１１ａに開閉サージに対して抵抗成分となる急峻波サージ抑制体１９を取り付け、この急峻波サージ抑制体１９に固定接触子１３を支持固定している。この急峻波サージ抑制体１９は、図２に示した急峻波サージ抑制体１９の抵抗体、あるいは上述した磁性体から構成したものである。
【００２８】
このような構成のガス絶縁開閉装置によれば、高電圧回路導体９を伝播した開閉サージは急峻波サージ抑制体１９を経由して計器用変圧器６に伝播することになるため、先の実施の形態の場合と同様に作用する急峻波サージ抑制体２１によって計器用変圧器６の二次側への移行サージを低減することができる。この場合も、見掛け上は通常の切り離し装置５とほぼ同一構成であり、構成を複雑にすることはない。また、図２および図３に示したように切り離し用断路器５の可動接触子１４内に抵抗体を配置して急峻波サージ抑制体１９を構成した場合、この構成が接触子１２および固定接触子１３との摺動接触部が動作や絶縁特性に悪影響を及ぼさないようにする必要があるのに対して、図３の構成の場合は中心導体１１ａと固定接触子１３間は摺動部を構成していないので構成をより簡単にすることができる。
【実施例４】
【００２９】
図４は、本発明のさらに他の実施の形態によるガス絶縁開閉装置における計器用変圧器の接続部近傍を示す部分断面図である。
この実施の形態は、高電圧回路導体９と計器用変圧器６間に接続していた切り離し用断路器５を別の位置に構成したり、または省略した場合を示しており、高電圧回路導体９と計器用変圧器６間を接続導体２２によって直接接続し、計器用変圧器６内に、開閉サージに対して抵抗成分となる抵抗体や磁性体から成る急峻波サージ抑制体１９を設けている。つまり、高電圧回路導体９を収納した密閉容器１０と計器用変圧器６間には絶縁スペーサ１１が配置されており、この絶縁スペーサ１１の中心導体１１ａよりも計器用変圧器６側に急峻波サージ抑制体１９を取り付けている。
【００３０】
このように計器用変圧器６の近傍に切り離し用断路器５がない場合でも、開閉サージに対して抵抗成分を示す抵抗体や磁性体から成る急峻波サージ抑制体１９を有する計器用変圧器６として製作し、これをガス絶縁開閉装置側に接続することにより、急峻波サージ抑制体１９を経由して計器用変圧器６に伝播するサージを抑制することができる。この場合も、見掛け上は切り離し用断路器５を持たない構成とほぼ同一構成であり、構成を複雑にすることはない。また、ガス絶縁開閉装置側は開閉サージ対策として種々の構成を採用することができ、これに接続する計器用変圧器６としては独自に開閉サージ対策を施したものを使用することができる。
【産業上の利用可能性】
【００３１】
本発明によるガス絶縁開閉装置は、図５に示した回路構成に限らず、他の構成のものにも適用することができる。
【符号の説明】
【００３２】
１，４    遮断器
２，３    断路器
５，７    切り離し用断路器
９    高電圧回路導体
１０    密閉容器
１１    絶縁スペーサ
１２    接触子
１３    固定接触子
１４    可動接触子
１９    急峻波サージ抑制体
【図１】
2010246206.tif 000003
【図２】
2010246206.tif 000004
【図３】
2010246206.tif 000005
【図４】
2010246206.tif 000006
【図５】
2010246206.tif 000007
【図６】
2010246206.tif 000008